(57)【要約】【課題】装着者に不快感を与えることなく、適切なサイズのマスクを容易に選定できるようにする。【解決手段】マスク装着者の顔の上方部の上基準部位と下方部の下基準部位との高さ方向の距離に応じたマスクのサイズを選定するためのマスクサイズゲージ１００は、マスク装着者の目の外側方で上記上基準部位の高さ位置Ａに配置されることを示す基準位置表示部１１１と、基準位置表示部１１１よりも顔面の中央寄りに位置し、上記下基準部位（例えば頤深溝）の高さ位置Ｂに応じたマスクのサイズを示すサイズ表示部１１２とを有するか、または、マスク装着者の目の最外部よりも顔面の中央寄りで、上記下基準部位の高さ位置Ｂに配置されることを示す基準位置表示部１１１と、マスク装着者の目の外側方で上記上基準部位の高さ位置Ａに応じたマスクのサイズを示すサイズ表示部１１２とを有する。【選択図】図１
2020192014.tif 000002
【特許請求の範囲】
【請求項１】
マスク装着者の顔の上方部の上基準部位と下方部の下基準部位との高さ方向の距離に応じたマスクのサイズを選定するためのマスクサイズゲージであって、
上記マスク装着者の目の外側方で上記上基準部位の高さ位置に配置されることを示す基準位置表示部と、
上記基準位置表示部よりも顔面の中央寄りに位置し、上記下基準部位の高さ位置に応じたマスクのサイズを示すサイズ表示部とを有するか、または、
上記マスク装着者の目の最外部よりも顔面の中央寄りで、上記下基準部位の高さ位置に配置されることを示す基準位置表示部と、
上記マスク装着者の目の外側方で上記上基準部位の高さ位置に応じたマスクのサイズを示すサイズ表示部とを有する
ことを特徴とするマスクサイズゲージ。
【請求項２】
請求項１のマスクサイズゲージであって、
上記上基準部位は、マスク装着者の目頭、目尻、正面視の場合の瞳孔中心、および眉の何れかであることを特徴とするマスクサイズゲージ。
【請求項３】
請求項１から請求項２のうち何れか１項のマスクサイズゲージであって、
上記下基準部位は、マスク装着者の頤深溝、顎の下端部、顎の前端部、上唇、下唇、上唇と下唇との境界、および人中の何れかであることを特徴とするマスクサイズゲージ。
【請求項４】
請求項１から請求項３のうち何れか１項のマスクサイズゲージであって、
マスクサイズゲージの使用時の姿勢において、上記基準位置表示部とサイズ表示部とを結ぶ斜辺部が形成されていることを特徴とするマスクサイズゲージ。
【請求項５】
請求項４のマスクサイズゲージであって、
上記斜辺部に対向する垂直辺部と、上下縁に形成された水平辺部とを有する台形形状を成していることを特徴とするマスクサイズゲージ。
【請求項６】
請求項１から請求項３のうち何れか１項のマスクサイズゲージであって、
マスクサイズゲージの使用時の姿勢において、上記上基準部位に対応する、上記基準位置表示部または上記サイズ表示部から下方に向かう垂直辺部と、上記垂直辺部の下端部から、上記下基準部位に対応する、上記サイズ表示部または上記基準位置表示部の上部位置に向かう水平辺部とが形成されていることを特徴とするマスクサイズゲージ。
【請求項７】
請求項１から請求項６のうち何れか１項のマスクサイズゲージであって、
上記基準位置表示部と上記サイズ表示部との間に、マスクサイズゲージの使い方を示す説明表示部が設けられていることを特徴とするマスクサイズゲージ。
【請求項８】
請求項７のマスクサイズゲージであって、
上記説明表示部は、上記基準位置表示部を上記マスク装着者の上記上基準部位または下基準部位の高さ位置に配置した後、マスク装着者の上記下基準部位または上基準部位の高さ位置に応じて上記サイズ表示部によって示されるマスクのサイズを読み取ることを示す手順の順序表示を含むことを特徴とするマスクサイズゲージ。
【発明の詳細な説明】
【技術分野】
【０００１】
本発明は、酸素マスクや人工呼吸器のマスクのサイズを装着者に応じて選定するために用いられるマスクサイズゲージに関するものである。
【背景技術】
【０００２】
従来、医療用マスクのサイズを測定するために、装着者の顔の正面に物差しを近接させて、物差しに表示されているサイズを読み取る技術が知られている（例えば、特許文献１参照。）。
【先行技術文献】
【特許文献】
【０００３】
【特許文献１】特開２０１７−５３０７４０号公報
【発明の概要】
【発明が解決しようとする課題】
【０００４】
しかしながら、装着者の顔の正面に物差しを近接させることは、装着者に不快感を与えることがあり、医療従事者等が測定を躊躇しがちである。このため、適切なサイズのマスクを容易に選定できないことがある。
【０００５】
本発明は、上記の点に鑑みてなされたものであり、装着者に不快感を与えることなく、適切なサイズのマスクを容易に選定できるようにすることを目的としている。
【課題を解決するための手段】
【０００６】
上記の目的を達成するために、
本発明は、
マスク装着者の顔の上方部の上基準部位と下方部の下基準部位との高さ方向の距離に応じたマスクのサイズを選定するためのマスクサイズゲージであって、
上記マスク装着者の目の外側方で上記上基準部位の高さ位置に配置されることを示す基準位置表示部と、
上記基準位置表示部よりも顔面の中央寄りに位置し、上記下基準部位の高さ位置に応じたマスクのサイズを示すサイズ表示部とを有するか、または、
上記マスク装着者の目の最外部よりも顔面の中央寄りで、上記下基準部位の高さ位置に配置されることを示す基準位置表示部と、
上記マスク装着者の目の外側方で上記上基準部位の高さ位置に応じたマスクのサイズを示すサイズ表示部とを有する
ことを特徴とする。
【０００７】
これにより、マスクサイズゲージをマスク装着者の顔の側方に添えてマスクのサイズを選定することができるので、マスクサイズゲージによってマスク装着者の顔や目が覆われたりして不快感を与えるのを回避して適切なサイズのマスクを選定することが容易にできる。
【発明の効果】
【０００８】
本発明では、装着者に不快感を与えることなく、適切なサイズのマスクを容易に選定できる。
【図面の簡単な説明】
【０００９】
【図１】実施形態１のマスクサイズゲージの例を示す正面図である。
【図２】実施形態２のマスクサイズゲージの例を示す正面図である。
【図３】実施形態３のマスクサイズゲージの例を示す正面図である。
【図４】実施形態４のマスクサイズゲージの例を示す正面図である。
【図５】実施形態５のマスクサイズゲージの例を示す正面図である。
【発明を実施するための形態】
【００１０】
以下、本発明の実施形態を図面に基づいて詳細に説明する。なお、以下の各実施形態において、他の実施形態と同様の機能を有する構成要素については同一の符号を付して説明を省略し、または図示や説明を省略する。
【００１１】
（実施形態１）
実施形態１のマスクサイズゲージ１００は、例えば図１に示すように台形形状を成す樹脂板などから形成されている。より詳しくは、マスクサイズゲージ１００は、同図に示すように使用時の姿勢において、斜辺部１０１と、上記斜辺部１０１に対向する垂直辺部と、上下縁に形成された水平辺部とを有する台形形状を成している。ここで、上記台形形状は、各頂点にＲ部または面取り等が形成されていてもよい。
【００１２】
上記斜辺部１０１の上部付近には、例えば矢印形状が印刷された基準位置表示部１１１が設けられ、この基準位置表示部１１１が、同図に符号Ａで示すように、マスク装着者の目の外側方で目（上基準部位）の高さ位置に配置されることを示すようになっている。また、斜辺部１０１の下部付近には、例えば４本の水平線とＳ、Ｍ、Ｌの文字が印刷されたサイズ表示部１１２が設けられ、例えば同図に符号Ｂで示す頤深溝（下基準部位）の高さ位置に応じて、適切なマスクのサイズが示されるようになっている。
【００１３】
ここで、上記サイズ表示部１１２は、基準位置表示部１１１よりも顔面の中央寄りに位置し、斜辺部１０１は、上記基準位置表示部１１１とサイズ表示部１１２とを結ぶように形成されている。これによって、マスクサイズゲージ１００をマスク装着者の顔の正面に位置させて顔や目を覆ったりすることなく、基準位置表示部１１１をマスク装着者の目の外側方で目の高さ位置に配置するとともに、サイズ表示部１１２をマスク装着者の頤深溝に近づけて頤深溝の高さ位置に応じたマスクのサイズを容易に確認できるようになる。
【００１４】
また、マスクサイズゲージ１００には、必須ではないが、垂直辺部の下端部付近に、このマスクサイズゲージ１００にストラップを取り付けたりマスクサイズゲージ１００をフックに引っ掛けたりできるように穴１０２が形成されている。
【００１５】
さらに、マスクサイズゲージ１００における基準位置表示部１１１とサイズ表示部１１２との間の領域付近、より詳しくは例えば中央部よりもやや上部で、マスクサイズゲージ１００の右下部を持ったときに隠れにくいような部分には、例えばマスクサイズゲージ１００を縮小した相似形の図形を含むマスクサイズゲージ１００の使用状態を表したイラストによる説明表示部１１３が設けられている。このイラスト中には、計測手順の順序表示１１３ａ・１１３ｂが含まれ、マスクサイズゲージ１００の使用時に、基準位置表示部１１１を目の高さ位置Ａに合せた後、頤深溝の高さ位置Ｂが対応するサイズ表示部１１２を読み取ればよいことが容易に把握できるようになっている。ここで、図１の例では、マスクサイズゲージ１００をマスク装着者に向かって右側に配置している例、すなわち例えばマスクサイズゲージ１００の右端などを右手で持って顔に近づけるようにして測定する例を示し、同図の説明表示部１１３のイラストも、上記配置に対応したものとなっている例が示されている。
【００１６】
上記のように、マスクサイズゲージ１００をマスク装着者の顔の側方に添えてマスクのサイズを選定することができるので、マスクサイズゲージ１００によってマスク装着者の顔や目が覆われたりして不快感を与えるのを容易に回避することができる。また、例えば治療方針に応じてマスクの種類を交換する際などに、マスク装着者の正面から物差しを当てる場合などのようにマスクの立体形状が妨げとなりにくいので、マスクのサイズを正確に測定することが容易にできる。
【００１７】
すなわち、マスクサイズゲージ１００は、顔の下方側部分の方が顔面の中央寄りに配置される形状を有するため、マスク装着者の顔にマスクサイズゲージ１００が被る部分を非常に少なくでき、被験者に不快感を与えることを回避できる。また、上記のような形状を有するため、マスク装着者が既にマスクを装着しているような場合でも、当該装着者に不快感を生じさせることなく正確にマスクのサイズを測定できるとともに、マスクの脱着の必要性が無い為に医療の質を向上させることができる。例えば、容態変化に伴って酸素マスクから非侵襲陽圧換気（ＮＰＰＶ）フルフェイスマスクに付け替える必要が生じた場合、上述のマスクサイズゲージ１００を使用すれば酸素マスクを装着したままでも適切なＮＰＰＶフルフェイスマスクを選択できる為、被験者の不快感を回避できるだけでなく医療の質を向上させることができる。
【００１８】
また、上記のように台形状に形成されることによって、垂直辺部の下端部付近でマスクサイズゲージ１００を掴みやすくしたり、マスクサイズゲージ１００の剛性を確保したり、また、垂直辺部や上下水平辺部によってマスクサイズゲージ１００の傾きがないことを確認したりすることも容易にできる。
【００１９】
なお、上記の例では、頤深溝の高さ位置Ｂに応じてマスクのサイズが選定される例を示したが、これに限らず、顎の下端部、顎の前端部、上唇、下唇、上唇と下唇との境界、および人中の何れかなどの高さ位置に応じて選定されるようにしてもよい。
【００２０】
また、上記の例では、目の高さ位置Ａに基準位置表示部１１１が配置される例を示したが、これに限らず、目頭、目尻、正面視の場合の瞳孔中心、および眉の何れかなどの高さ位置に配置されるようにしてもよい。
【００２１】
また、説明表示部１１３はイラストによって表されれば使用方法を直感的に解りやすいが、これに限らず言葉で計測手順が説明されるなどしてもよい。
【００２２】
また、説明表示部１１３の表示位置は特に限定されないが、計測時にマスクサイズゲージ１００を手で持っても視認できる位置であることは通常好ましい。
【００２３】
また、マスクサイズゲージ１００を不透明な材質によって形成し、基準位置表示部１１１等を両面に設け、マスクサイズゲージ１００をマスク装着者の顔の左右どちら側に配置しても、すなわち左右どちらの手でマスクサイズゲージ１００を保持しても計測しやすいようにしてもよい。
【００２４】
（実施形態２）
実施形態２のマスクサイズゲージ１００は、例えば図２に示すように屈曲した形状に形成されてもよい。すなわち、基準位置表示部１１１とサイズ表示部１１２との間が、垂直辺部１２１と水平辺部１２２とによって結ばれている。このような形状に形成することによって、マスクサイズゲージ１００が、より装着者の頬に触れにくくしたり、サイズ表示部１１２を口などに近づけやすくしたりできる。
【００２５】
（実施形態３）
実施形態３のマスクサイズゲージ１００は、例えば図３に示すように、実施形態２の水平辺部１２２よりもさらに長い水平辺部１２３が形成されている。このように水平辺部１２３が多少長く形成されても、装着者の目が覆われる場合のように不快感を与えることは少ない一方、サイズ表示部１１２を頤深溝等に近づけることがより容易にできるので、より正確なサイズの選定をしやすくすることができる。
【００２６】
（実施形態４）
実施形態４のマスクサイズゲージ１００は、例えば図４に示すように、斜辺部１０１に対向する辺として、斜辺部１０１に平行な外側斜辺部１２４が形成されている。このように形成される場合でも、上記各実施形態と同様に、マスクサイズゲージ１００をマスク装着者の顔の側方に添えてマスクのサイズを選定できることにより、マスク装着者の顔や目がマスクサイズゲージ１００で覆われたりして不快感を与えるのを容易に回避できるとともに、マスクサイズゲージ１００のコンパクト化や軽量化を図ることもできる。
【００２７】
（実施形態５）
上記各実施形態では、顔の上方部の上基準部位の高さ位置を基準として顔の下方部の下基準部位の高さ位置に応じてマスクのサイズが選定される例を示したが、これに限らず、逆に、顔の下方部の下基準部位の高さ位置を基準として顔の上方部の上基準部位の高さ位置に応じてマスクのサイズが選定されるようにしてもよい。
【００２８】
具体的には、例えば図５に示すように、斜辺部１０１の下部付近に、例えば矢印形状が印刷された基準位置表示部１１１が設けられる一方、斜辺部１０１の上部付近に、例えば４本の水平線とＳ、Ｍ、Ｌの文字が印刷されたサイズ表示部１１２が設けられるようにしてもよい。また、同図の例では、説明表示部１１３にも、上記配置に対応した順序表示１１３ａ・１１３ｂが表されている。
【００２９】
このような場合でも、同様に、マスクサイズゲージ１００をマスク装着者の顔の側方に添えてマスクのサイズを選定することができる等の効果を得ることができる。
【符号の説明】
【００３０】
１００      マスクサイズゲージ
１０１      斜辺部
１０２      穴
１１１      基準位置表示部
１１２      サイズ表示部
１１３      説明表示部
１１３ａ・１１３ｂ      順序表示
１２１      垂直辺部
１２２      水平辺部
１２３      水平辺部
１２４      外側斜辺部
【図１】
2020192014.tif 000003
【図２】
2020192014.tif 000004
【図３】
2020192014.tif 000005
【図４】
2020192014.tif 000006
【図５】
2020192014.tif 000007